【手続補正書】
【提出日】平成18年9月5日(2006.9.5)
【手続補正１】
【補正対象書類名】特許請求の範囲
【補正対象項目名】全文
【補正方法】変更
【補正の内容】
【特許請求の範囲】
【請求項１】
複数の画素がマトリクス状に配列された表示面を有する平面表示装置と、
前記平面表示装置の前面に設けられ、
それぞれが観察者側の面が平面形状で前記平面表示装置側の面が凹凸形状の複数のレンズを有する第１レンズアレイと、
それぞれが前記平面表示装置側の面が平面形状で前記観察者側の面が前記第１レンズアレイの凹凸形状とほぼ同じ大きさの凹凸形状である複数のレンズを有する第２レンズアレイと、
それぞれが前記第１レンズアレイと前記第２レンズアレイとの間に設けられ前記第１レンズアレイ側の面が前記第１レンズアレイの凹凸形状に嵌合する凹凸形状で前記第２レンズアレイ側の面が前記第２レンズアレイの凹凸形状に嵌合する凹凸形状である複数のレンズを有し、前記第１レンズアレイ側レンズの凸と前記第２レンズアレイ側のレンズの凸とが対応するとともに前記第１レンズアレイ側のレンズの凹と前記第２レンズアレイ側のレンズの凹とが対応する第３レンズアレイと備え、前記画素からの光線を制御する光線制御素子と、
を含み、
前記第３レンズアレイは前記第１レンズアレイ側の各レンズと、前記第２レンズアレイ側の対応するレンズの光軸がほぼ一致するように構成され、
前記第１および第２レンズアレイの屈折率はほぼ同一で前記第３レンズアレイは前記第１および第２レンズアレイの屈折率と異なることを特徴とする立体画像表示装置。
【請求項２】
前記第１および第２レンズアレイは複数の片凹レンズを有し、前記第３レンズアレイは複数の両凸レンズを有していることを特徴とする請求項１記載の立体画像表示装置。
【請求項３】
前記第３レンズアレイの両凸レンズは、レンズ厚の最も短い部分の厚みをｄｓ、視域角度を２θ、レンズピッチをｌｐ、前記第１レンズアレイの屈折率をｎとすると、
ｄｓ×ｓｉｎθ／（ｌｐ・ｎ）＜０．１            
の関係を満たすこと特徴とする請求項２記載の立体画像表示装置。
【請求項４】
前記第３レンズアレイは形状が自由に変化する材料からなっていることを特徴とする請求項１乃至３のいずれかに記載の立体画像表示装置。
【請求項５】
前記第３レンズアレイは透明な固体材料からなっており、前記第１および第２レンズアレイは前記第３レンズアレイの凹凸をシリコン樹脂で型取りすることによって形成されることを特徴とする請求項１乃至３のいずれかに記載の立体画像表示装置。
【請求項６】
複数の画素がマトリクス状に配列された表示面を有する平面表示装置と、
前記平面表示装置の前面に設けられ、
それぞれが観察者側の面が平面形状で前記平面表示装置側の面が凹レンズ形状の複数の片凹レンズを有する第１レンズアレイと、
それぞれが前記平面表示装置側の面が平面形状で前記観察者側の面が前記第１レンズアレイの凹レンズ形状とほぼ同じ大きさの凹レンズ形状である複数の片凹レンズを有する第２レンズアレイと、
前記第１レンズアレイと前記第２レンズアレイとの間に設けられた透明基板と、
前記第１レンズアレイと前記透明基板との間に設けられ前記第１レンズアレイ側の面が前記第１レンズアレイの凹レンズ形状に嵌合する凸レンズ形状で前記透明基板側の面が平面形状の複数の片凸レンズからなる第３レンズアレイと、
前記透明基板と前記第２レンズアレイとの間に設けられ前記第２レンズアレイ側の面が前記第２レンズアレイの凹レンズ形状に嵌合するとともに前記第３レンズアレイの凸レンズ形状に対応する凸レンズ形状を有し前記透明基板側の面が平面形状の複数の片凸レンズからなる第４レンズアレイと、を備え、前記画素からの光線を制御する光線制御素子と、
を含み、
前記第３レンズアレイの各片凸レンズは前記第４レンズアレイの対応する片凸レンズと光軸がほぼ一致するように構成され、
前記第１および第２レンズアレイの屈折率はほぼ同一で前記第３および第４レンズアレイは前記第１および第２レンズアレイの屈折率よりも高いことを特徴とする立体画像表示装置。
【請求項７】
前記第３および第４レンズアレイは形状が自由に変化する材料からなっていることを特徴とする請求項６記載の立体画像表示装置。
【請求項８】
前記第３および第４レンズアレイは複屈折率を有する材料からなっていることを特徴とする請求項６または７記載の立体画像表示装置。
【請求項９】
前記透明基板が第１および第２透明基板からなっていることを特徴とする請求項６乃至８のいずれかに記載の立体画像表示装置。
【請求項１０】
それぞれが一方の面に平面形状で他方の面に凹凸形状の複数のレンズを有する第１レンズアレイと、
それぞれが他方の面に平面形状で一方の面に前記第１のレンズアレイの凹凸形状とほぼ同じ大きさの凹凸形状である複数のレンズを有する第２レンズアレイと、
それぞれが前記第１レンズアレイと前記第２レンズアレイとの間に設けられ、前記第１レンズアレイ側の面が前記第１レンズアレイの凹凸形状に嵌合する凹凸形状で、前記第２レンズアレイ側の面が前記第２レンズアレイの凹凸形状に嵌合する凹凸形状である複数のレンズを有し、前記第１レンズアレイ側レンズの凸と前記第２レンズアレイ側のレンズの凸とが対応するとともに前記第１レンズアレイ側のレンズの凹と前記第２レンズアレイ側のレンズの凹とが対応する第３レンズアレイとを備え、
前記第１及び第２レンズアレイの屈折率はほぼ同一で前記第３のレンズアレイは前記第１及び第２レンズアレイの屈折率とは異なることを特徴とする光線制御素子。
【請求項１１】
それぞれが一方の面に平面形状で他方の面に凹レンズ形状の複数の片凹レンズを有する第１レンズアレイと、
それぞれが他方の面に平面形状で一方の面に前記第１レンズアレイの凹レンズ形状とほぼ同じ大きさの凹レンズ形状である複数の片凹レンズを有する第２レンズアレイと、
前記第１レンズアレイと前記第２レンズアレイとの間に設けられた透明基板と、
前記第１レンズアレイと前記透明基板との間に設けられ前記第１レンズアレイ側の面が前記第１レンズアレイの凹レンズ形状に嵌合する凸レンズ形状で前記透明基板側の面が平面形状の複数の片凸レンズからなる第３レンズアレイと、
前記透明基板と前記第２レンズアレイとの間に設けられ前記第２レンズアレイ側の面が前記第２レンズアレイの凹レンズ形状に嵌合するとともに前記第３レンズアレイの凸レンズ形状に対応する凸レンズ形状を有し前記透明基板側の面が平面形状の複数の片凸レンズからなる第４レンズアレイとを備え、
前記第１および第２レンズアレイの屈折率はほぼ同一で前記第３および第４レンズアレイは前記第１および第２レンズアレイの屈折率よりも高いことを特徴とする光線制御素子。
【請求項１２】
前記第３レンズアレイは、円筒レンズの長軸方向が平行になるように並べることで構成されていることを特徴とする請求項１記載の立体画像表示装置。
【請求項１３】
前記第３レンズアレイは、円筒レンズの長軸方向が平行になるように並べることで構成されていることを特徴とする請求項１０記載の光線制御素子。
【請求項１４】
前記円筒レンズは長軸方向の屈折率と短軸方向の屈折率とが異なる複屈折率を有することを特徴とする請求項１２記載の立体画像表示装置。
【請求項１５】
前記円筒レンズは長軸方向の屈折率と短軸方向の屈折率とが異なる複屈折率を有することを特徴とする請求項１３記載の光線制御素子。
【請求項１６】
前記短軸方向の屈折率と前記第１レンズアレイ又は第２レンズアレイの屈折率とが等しいことを特徴とする請求項１４記載の立体画像表示装置。
【請求項１７】
前記短軸方向の屈折率と前記第１レンズアレイ又は第２レンズアレイの屈折率とが等しいことを特徴とする請求項１５記載の光線制御素子。